(57)【要約】【課題】役の当選可能性を有する旨の演出の頻度を設定可能とし、遊技者の好み等に応じて最適な演出頻度に設定できるようにする。【解決手段】役の抽選を行う役抽選手段６１と、役抽選手段６１による役の抽選結果に基づいて、役の当選可能性を有する旨の演出を行うか否かを抽選により決定する役当選演出抽選手段６２と、役当選演出抽選手段６２による抽選に用いられ、演出を行うことに決定される確率が異なる複数の抽選確率テーブル６３ａ〜６３ｃと、役の当選可能性を有する旨の演出を行う頻度を設定する役当選演出頻度設定手段４３と、役当選演出頻度設定手段４３の設定に基づいて、役当選演出抽選手段６２で用いるいずれかの抽選確率テーブル６３ａ〜６３ｃを選択する抽選確率テーブル選択手段６４とを備える。【選択図】図１
2006175251.tif 000002
【特許請求の範囲】
【請求項１】
役の抽選を行う役抽選手段と、
前記役抽選手段による役の抽選結果に基づいて、役の当選可能性を有する旨の演出を行うか否かを抽選により決定する役当選演出抽選手段と、
前記役当選演出抽選手段による抽選に用いられ、演出を行うことに決定される確率が異なる複数の抽選確率テーブルと、
役の当選可能性を有する旨の演出を行う頻度を設定する役当選演出頻度設定手段と、
前記役当選演出頻度設定手段の設定に基づいて、前記役当選演出抽選手段で用いる前記抽選確率テーブルを選択する抽選確率テーブル選択手段と
を備えることを特徴とするスロットマシン。
【請求項２】
役の抽選を行う役抽選手段と、
前記役抽選手段による役の抽選結果に基づいて、リールを停止制御するリール停止制御手段と、
役の当選可能性を有する旨の演出を行う頻度を設定する役当選演出頻度設定手段とを備え、
前記リール停止制御手段は、特別役の当選可能性を有することを意味する図柄の組合せを出現させる確率が異なる複数の停止制御を有し、
前記役当選演出頻度設定手段の設定に基づいて、前記リール停止制御手段の停止制御を選択する停止制御選択手段を備える
ことを特徴とするスロットマシン。
【請求項３】
請求項１又は請求項２に記載のスロットマシンにおいて、
前記役当選演出頻度設定手段は、前記スロットマシンの外部に取り付けられ、遊技者が操作可能なスイッチである
ことを特徴とするスロットマシン。
【請求項４】
請求項１又は請求項２に記載のスロットマシンにおいて、
前記役当選演出頻度設定手段は、前記スロットマシンの内部に設けられたスイッチである
ことを特徴とするスロットマシン。
【請求項５】
請求項１から請求項４までのいずれか１項に記載のスロットマシンにおいて、
遊技進行中に前記役当選演出頻度設定手段による設定が行われたときは、当該遊技では、その設定を受け付けないように制御する
ことを特徴とするスロットマシン。
【請求項６】
請求項１から請求項５までのいずれか１項に記載のスロットマシンにおいて、
前記役当選演出頻度設定手段による設定を受け付ける設定受付期間を設け、
前記役当選演出頻度設定手段による設定が前記設定受付期間に行われたときのみ、その設定を受け付けるように制御する
ことを特徴とするスロットマシン。
【発明の詳細な説明】
【技術分野】
【０００１】
本発明は、役の当選可能性を有する旨を遊技者に報知するスロットマシンに関するものである。
【背景技術】
【０００２】
従来より、役の当選可能性を有する旨を遊技者に対して種々の方法で報知するスロットマシンが知られている。これは、何らかの役、例えば遊技者に有利な遊技に移行するための特別役や、小役又はリプレイの当選時に、非当選の場合を適宜取り入れつつ、種々の演出を行うことによって、遊技者に役の当選可能性を有する旨を報知するものである。
この演出としては、例えば第１に、スロットマシンに設けられた演出用のランプ類を特定パターンで点灯させたり、又はスピーカから特定のサウンドを出力することが知られている。
また第２に、リールの停止時における図柄の組合せによって、例えば特別役の当選可能性を有することを意味する図柄の組合せを予め設定しておき、遊技中に、これらの図柄の組合せを出現させることが知られている。
【０００３】
なお、役に当選したときに、その旨を報知するか否かを操作スイッチ等によって変更することができるスロットマシンが知られている（特開平１０−３３７５０号公報）。このスロットマシンによれば、役の当選を報知する営業形態にも、報知しない営業形態にも柔軟に対応できるようになる。
【発明の開示】
【発明が解決しようとする課題】
【０００４】
前述の従来のスロットマシンにおいて、特別役の当選可能性を有する旨が種々の方法で報知されれば、その事実を知ることができるので、特に初級者にとっては、より理解しやすいものとなる。しかし、上級者にあっては、報知が行われなくても、ストップスイッチを操作したときのリールの停止制御等により、特別役が当選しているか否かを判断することができる場合があり、さらに、それ以前の遊技中に行われた演出によって、役の当選の有無を既に知っている場合がある。このように、役の当選の有無を遊技者が知っているときに報知を行っても、遊技者は、何ら期待感や緊張感を持たないので、このような報知は意味をなさないという問題がある。
【０００５】
さらに、リールの停止後に、役の当選可能性を有する旨を報知する場合は、その演出が出力されている間は、次遊技に移行するメダル投入等の操作の受付が中止される。よって、遊技者は、演出が終了するまで待つ必要があり、次遊技に円滑に移行することができないという問題がある。
【０００６】
また、前述の特開平１０−３３７５０号公報に記載のスロットマシンのように、役の当選を報知するか否かを変更できる方法では、スロットマシンを設置しているホール等の営業形態には対応できるものの、遊技者が好む方に切り替えられているとは限らないという問題がある。
なお、本公報の記載の技術は、抽選の結果、役に当選したことを条件として報知するか否かを変更するものであるが、この技術を利用し、非当選時の場合を含めて役の当選可能性を有する旨の報知を行うか否かを変更できるようにすることが考えられる。
【０００７】
しかし、ランプ類の点灯やサウンドの出力等の演出が多彩に行われ、それらの演出を総合的に判断することで、役の当選をある程度予測することは、遊技の醍醐味であり、これは、上級者にあっても同じである。
したがって、役の当選の有無にかかわらず、役の当選可能性を有する旨の演出の有無まで、上記公報の技術を用いて切り替えてしまうと、例えば、全く演出が無いものとなる。このため、初級者に限らず上級者であっても、その遊技性に面白みを感じることができなくなるという問題がある。
【０００８】
したがって、本発明が解決しようとする課題は、役の当選可能性を有する旨の演出の頻度を設定可能とし、遊技者の好み等に応じて最適な演出頻度に設定できるようにすることである。
【課題を解決するための手段】
【０００９】
本発明は、以下の解決手段によって、上述の課題を解決する。
（請求項１）
請求項１の発明は、役の抽選を行う役抽選手段と、前記役抽選手段による役の抽選結果に基づいて、役の当選可能性を有する旨の演出を行うか否かを抽選により決定する役当選演出抽選手段と、前記役当選演出抽選手段による抽選に用いられ、演出を行うことに決定される確率が異なる複数の抽選確率テーブルと、役の当選可能性を有する旨の演出を行う頻度を設定する役当選演出頻度設定手段と、前記役当選演出頻度設定手段の設定に基づいて、前記役当選演出抽選手段で用いる前記抽選確率テーブルを選択する抽選確率テーブル選択手段とを備えることを特徴とする。
【００１０】
請求項１の発明においては、役当選演出頻度設定手段により、役の当選可能性を有する旨の演出を行う頻度が設定される。この設定に基づき、抽選確率テーブル選択手段は、所定の抽選確率テーブルを選択する。抽選確率テーブルは、演出を行うことに決定される確率が異なる複数のものを有しており、これらの中から、役当選演出頻度設定手段の設定に対応する抽選確率テーブルが選択される。
そして、抽選確率テーブルが選択されると、この抽選確率テーブルを用いて、役当選演出抽選手段は、役抽選手段による役の抽選結果に基づいて、役の当選可能性を有する旨の演出を行うか否かを抽選により決定する。
【００１１】
したがって、役の当選可能性を有する旨の演出を行うことに決定される確率が、役当選演出頻度設定手段の設定に応じて変化する。これにより、役当選演出頻度設定手段の設定によって、役の当選可能性を有する旨の演出の頻度を調整することができる。
【００１２】
（請求項２）
請求項２の発明は、役の抽選を行う役抽選手段と、前記役抽選手段による役の抽選結果に基づいて、リールを停止制御するリール停止制御手段と、役の当選可能性を有する旨の演出を行う頻度を設定する役当選演出頻度設定手段とを備え、前記リール停止制御手段は、特別役の当選可能性を有することを意味する図柄の組合せを出現させる確率が異なる複数の停止制御を有し、前記役当選演出頻度設定手段の設定に基づいて、前記リール停止制御手段の停止制御を選択する停止制御選択手段を備えることを特徴とする。
【００１３】
請求項２の発明においては、役当選演出頻度設定手段により、役の当選可能性を有する旨の演出を行う頻度が設定される。この設定に基づき、停止制御選択手段は、リール停止制御手段の停止制御を選択する。リール停止制御手段は、特別役の当選可能性を有することを意味する図柄の組合せを出現させる確率が異なる複数の停止制御を有しており、これらの中から、役当選演出頻度設定手段の設定に対応する停止制御が選択される。
【００１４】
例えば、リールの停止時における図柄の組合せを決定する停止位置決定テーブルを複数設け、これらの複数の停止位置決定テーブルは、それぞれ、特別役の当選可能性を有することを意味する図柄の組合せを出現させる確率が異なるようにする。そして、リール停止制御手段は、いずれかの停止位置決定テーブルを用いてリールの停止位置を決定し、その決定した位置にリールを停止制御するようにする。このような場合は、役当選演出頻度設定手段の設定に対応する停止位置決定テーブルが選択される。
【００１５】
そして、停止制御が選択されると、役抽選手段による役の抽選結果に基づいて、リールが停止制御される。
したがって、リールの停止時における特別役の当選可能性を有することを意味する図柄の組合せの出現確率が、役当選演出頻度設定手段の設定に応じて変化する。これにより、役当選演出頻度設定手段の設定によって、リールの停止時における特別役の当選可能性を有することを意味する図柄の組合せの出現頻度を調整することができる。
【００１６】
（請求項３）
請求項３の発明は、請求項１又は請求項２に記載のスロットマシンにおいて、前記役当選演出頻度設定手段は、前記スロットマシンの外部に取り付けられ、遊技者が操作可能なスイッチであることを特徴とする。
請求項３の発明においては、遊技者は、自己の好みに応じて、役当選演出頻度設定手段の設定を行うことができる。したがって、役の当選可能性を有する旨の演出の頻度、又は特別役の当選可能性を有することを意味する図柄の組合せの出現頻度を、遊技者自身が調整することができる。
【００１７】
（請求項４）
請求項４の発明は、請求項１又は請求項２に記載のスロットマシンにおいて、前記役当選演出頻度設定手段は、前記スロットマシンの内部に設けられたスイッチであることを特徴とする。
請求項４の発明においては、スロットマシンを設置した遊技店側で、役当選演出頻度設定手段の設定を行うことができる。したがって、役の当選可能性を有する旨の演出の頻度、又は特別役の当選可能性を有することを意味する図柄の組合せの出現頻度を、遊技店側で調整することができる。
【００１８】
（請求項５）
請求項５の発明は、請求項１から請求項４までのいずれか１項に記載のスロットマシンにおいて、遊技進行中に前記役当選演出頻度設定手段による設定が行われたときは、当該遊技では、その設定を受け付けないように制御することを特徴とする。
請求項５の発明においては、遊技進行中は、役当選演出頻度設定手段による設定が行われたとしても、当該遊技では、その設定が有効とならない。
したがって、遊技進行中に役当選演出頻度設定手段による設定が行われることにより一度選択した演出内容を変更すること等がなくなり、遊技を円滑に行うことができる。
【００１９】
（請求項６）
請求項６の発明は、請求項１から請求項５までのいずれか１項に記載のスロットマシンにおいて、前記役当選演出頻度設定手段による設定を受け付ける設定受付期間を設け、前記役当選演出頻度設定手段による設定が前記設定受付期間に行われたときのみ、その設定を受け付けるように制御することを特徴とする。
請求項６の発明においては、役当選演出頻度設定手段による設定は、設定受付期間に行われたときは有効となるが、その設定受付期間以外の期間に行われたときは、その設定は有効とならない。あるいは、役当選演出頻度設定手段による設定は、設定受付期間にのみ操作が可能となり、その設定受付期間以外の期間では、操作することができないようになる。
したがって、設定受付期間のみ、役当選演出頻度設定手段による設定を判別すれば足りるようになる。
【発明の効果】
【００２０】
（請求項１）
請求項１の発明によれば、役の当選可能性を有する旨の演出を行うことに決定される確率が、役当選演出頻度設定手段の設定に応じて変化する。これにより、役当選演出頻度設定手段の設定によって、役の当選可能性を有する旨の演出の頻度を調整することができる。
【００２１】
（請求項２）
請求項２の発明によれば、リールの停止時における特別役の当選可能性を有することを意味する図柄の組合せの出現確率が、役当選演出頻度設定手段の設定に応じて変化する。これにより、役当選演出頻度設定手段の設定によって、リールの停止時における特別役の当選可能性を有することを意味する図柄の組合せの出現頻度を調整することができる。
【００２２】
（請求項３）
請求項３の発明によれば、役の当選可能性を有する旨の演出の頻度、又は特別役の当選可能性を有することを意味する図柄の組合せの出現頻度を、遊技者自身が調整することができる。
【００２３】
（請求項４）
請求項４の発明によれば、役の当選可能性を有する旨の演出の頻度、又は特別役の当選可能性を有することを意味する図柄の組合せの出現頻度を、遊技店側で調整することができる。
【００２４】
（請求項５）
請求項５の発明によれば、遊技進行中に役当選演出頻度設定手段による設定が行われることにより一度選択した演出内容を変更すること等がなくなり、遊技を円滑に行うことができる。
【００２５】
（請求項６）
請求項６の発明によれば、設定受付期間のみ、役当選演出頻度設定手段による設定を判別すれば足りるようになる。
【発明を実施するための最良の形態】
【００２６】
以下、図面等を参照して、本発明の一実施形態について説明する。図１は、本実施形態におけるスロットマシンの制御の概略を示すブロック図である。
スロットマシン１０の遊技制御手段６０は、スロットマシン１０の遊技の進行や演出等を含むスロットマシン１０全体を統括制御する手段である。遊技制御手段６０は、演算等を行うＣＰＵと、遊技の進行等に必要なプログラムや演出用のデータ等を記憶しておくＲＯＭと、ＣＰＵが各種の制御を行うときに、取り込んだデータ等を一時的に記憶しておくＲＡＭ等とを備える。
【００２７】
遊技制御手段６０の出力側（図中、右側）には、以下に示すモータ３２等の周辺機器が電気的に接続されている。
モータ３２は、リール３１を回転させるためのものであり、リール３１の回転中心部に連結され、遊技制御手段６０によって制御される。
【００２８】
リール３１は、リング状のものであり、その外周面には複数種類の図柄（入賞役を構成する図柄等）を印刷したリールテープを貼付したものである。１つのリール３１には、例えば２１図柄が等間隔で設けられる。
リール３１は、本実施形態では並列に３つ設けられている。また、各リール３１は、スロットマシン１０のフロントパネルに設けられた表示窓（図示せず）から、上下に連続する３図柄が見えるように配置されている。よって、スロットマシン１０の表示窓から、合計９個の図柄が見えるように配置されている。
そして、リール３１がモータ３２によって回転されることで、リール３１上の図柄は、所定の速度で表示窓内で上下方向に移動表示される。
【００２９】
入賞役としては、例えば複数種類の特別役、複数種類の小役、及びリプレイが挙げられる。
特別役とは、通常遊技から特別遊技（多くのメダルの獲得が期待できる、遊技者にとって有利となる遊技）に移行させる役である。特別役としては、例えば、ビックボーナス、レギュラーボーナス、及びシングルボーナスが挙げられる。
【００３０】
また、小役とは、予め定めた枚数のメダルが払い出される役であり、図柄の組合せによりメダルの払出し枚数が異なるものが複数種類設けられている。
また、リプレイとは、再遊技役であって、当該遊技でのメダルの投入枚数（ベット枚数）を維持した再遊技が行えるようにした役である。
【００３１】
以上の各種の役に対応する、リール３１の図柄の組合せが予め定められている。そして、全てのリール３１の停止時に、有効ラインに停止した図柄の組合せが予め定められた役の図柄の組合せと一致するときは、その役の入賞となる。
例えば、特別役であるビックボーナスの図柄の組合せが「７」−「７」−「７」に設定されているとすると、全てのリール３１の停止時に、いずれかの有効ライン上に、各リール３１の「７」の図柄が停止しているときは、ビックボーナスの入賞となる。
【００３２】
ここで、図示しないが、フロントパネルの表示窓を含む部分には、例えば５本の有効ラインが設定されている。この有効ラインは、水平方向の上段、中段及び下段の３本と、右下がり及び左下がりの斜め方向の２本とから構成されている。
そして、各表示窓から見えるリール３１の上下に連続する３図柄は、水平方向の上段、中段及び下段の３本の有効ライン上に位置している。
また、この有効ラインは、投入されたメダル枚数に応じて有効化される。投入されたメダルが１枚のときは水平方向中段の１本の有効ライン、２枚のときは水平方向の３本の有効ライン、３枚のときは５本の全ての有効ラインが有効化される。
【００３３】
また、ランプ３３は、スロットマシン１０の演出用のランプであり、所定の条件を満たしたときに、それぞれ所定のパターンで点灯する。なお、スロットマシン１０には、遊技中の各種の演出を行うために複数のランプ類が設けられているが、図１で示したランプ３３は、そのランプ類のうちの１つである。
スピーカ３４は、遊技中に各種の演出を行うべく、所定の条件を満たしたときに、所定のサウンドを出力するものである。
画像表示装置３５は、液晶画像表示装置やドットディスプレイ等からなるものであり、遊技中に各種の演出画像や所定の情報等を表示するものである。
【００３４】
さらに、遊技制御手段６０の入力側（図中、左側）には、以下に示す周辺機器が電気的に接続されている。
スタートスイッチ４１は、遊技者がリール３１の回転をスタートさせるときに操作するスイッチである。
ストップスイッチ４２は、各リール３１ごとに独立して３つ並設され、遊技者がそれぞれのリール３１の回転を停止させるときに操作するスイッチである。
【００３５】
通常遊技では、遊技者は、メダル投入口（図示せず）からメダルを投入するか、又はベットスイッチ（図示せず）を操作して有効ラインを有効化し、スタートスイッチ４１をオンする。これにより、全リール３１が始動される。そして、遊技者は各ストップスイッチ４２を押すことで各リール３１の回転を停止させる。全てのリール３１の停止時に、有効ライン上のリール３１の図柄の組合せが予め定められた何らかの役の図柄の組合せと一致するときは、その役の入賞となり、成立役に応じてメダルの払出し等が行われる。
【００３６】
役当選演出頻度設定手段４３は、役の当選可能性を有する旨の演出を行う頻度を設定するためのものである。本実施形態では、役当選演出頻度設定手段４３は、スイッチ状に形成されたものであって、３段階に切替え可能に形成されている。さらに、本実施形態では、スロットマシン１０の前面部に、上述のスタートスイッチ４１やストップスイッチ４２とともに設けられており、遊技者が操作することができるようになっている。
【００３７】
遊技者は、自己の好みに応じて、役当選演出頻度設定手段４３を操作し、演出の頻度を設定することができる。役当選演出頻度設定手段４３の３段階の切替えを例えば「Ａ」、「Ｂ」、及び「Ｃ」とすると、「Ａ」は最も演出頻度が多くなるように設定され、「Ｂ」は通常の演出頻度に設定され、「Ｃ」は最も演出頻度が少なくなるように設定される。
【００３８】
また、役当選演出頻度設定手段４３の設定を受け付けるための設定受付期間が設けられている。この設定受付期間は、遊技が行われていないとき（待機時）である。遊技進行中に役当選演出頻度設定手段４３による設定が行われたときは、その設定は、当該遊技では、受け付けないように制御される。
ここで、遊技進行中とは、例えばスタートスイッチ４１がオンされたときから、全てのリール３１が停止したときまででも良く、または、メダル投入口からメダルが投入されるか若しくはベットスイッチがオンされて遊技メダルが投入されたときから全てのリール３１が停止したときまででも良い。
【００３９】
なお、遊技進行中や、設定受付期間以外の期間に役当選演出頻度設定手段４３による設定が行われたときは、その設定を次遊技以降も無効としても良く、あるいは、次遊技でその設定を有効にしても良い。
【００４０】
遊技制御手段６０は、以下の各手段を備える。なお、本実施形態における以下の各手段は例示であり、遊技制御手段６０は、本実施形態で示した手段に限定されるものではない。
（役抽選手段）
役抽選手段６１は、役（特別役、小役又はリプレイ等）の抽選を行うものである。役抽選手段６１は、例えば、役抽選用の乱数発生手段（ハード乱数等）と、この乱数発生手段が発生する乱数を抽出する乱数抽出手段と、乱数抽出手段が抽出した乱数値に基づいて、役の当選の有無及び当選役を判定する判定手段とを備えている。
【００４１】
役抽選手段６１の乱数発生手段は、所定の領域（例えば１０進法で０〜６５５３５）の乱数を発生させる。乱数抽出手段は、乱数発生手段によって発生した乱数を、所定の時、本実施形態では遊技者によりスタートスイッチ４１がオンされた時に抽出する。判定手段は、乱数抽出手段により抽出された乱数値を、抽選テーブルと照合することにより、その乱数値が属する領域に対応する役を決定する。例えば、抽出した乱数値が特別役当選領域に属する場合は、特別役の当選と判定し、非当選領域に属する場合は、非当選と判定する。
【００４２】
（役当選演出抽選手段）
役当選演出抽選手段６２は、遊技の開始時ごとに、スタートスイッチ４１のオンを検出したとき、役抽選手段６１における役の抽選結果に基づいて、後述の抽選確率テーブル６３を用いて、演出内容を抽選によって選択するものである。
ここで、役当選演出抽選手段６２は、役抽選手段６１で説明したものと同様の乱数発生手段、乱数抽出手段、及び判定手段を用いる。本実施形態では、遊技ごとに、役抽選手段６１による役の抽選の後、役当選演出抽選手段６２中の乱数発生手段で発生した乱数を抽出し、その乱数値を、選択した抽選確率テーブル６３と照合することにより、演出内容を決定する。なお、乱数を発生させるためのものとしては、ハード乱数に限らず、例えばソフト乱数であっても良い。
【００４３】
（抽選確率テーブル）
抽選確率テーブル６３は、役当選演出抽選手段６２による演出の抽選に用いられるものである。本実施形態では、抽選確率テーブル６３は、第１抽選確率テーブル６３ａ、第２抽選確率テーブル６３ｂ及び第３抽選確率テーブル６３ｃの３種類を有する。これらの抽選確率テーブル６３は、それぞれ、役（本実施形態では特別役）の当選可能性を有する旨の演出を行うことに決定される確率が異なるように設定されている。
【００４４】
各抽選確率テーブル６３は、それぞれ、役当選演出抽選手段６２の乱数抽出手段によって抽出される乱数値に対応する領域を有しており、各領域ごとに、演出パターンを定めたものである。
例えば、抽出される乱数値が０〜６５５３５の範囲とすると、乱数値が０〜１０２４のときは演出パターン１、１０２５〜１２８０のときは演出パターン２、のように定められている。演出パターンには、特別役の当選可能性を有する旨の演出を行うパターンと、行わないパターンとを有している。
【００４５】
そして、第１抽選確率テーブル６３ａは、３つの抽選確率テーブル６３中、特別役の当選可能性を有する旨の演出を行う演出パターンが選択される確率が最も高く設定されている。また、第３抽選確率テーブル６３ｃは、３つの抽選確率テーブル６３中、特別役の当選可能性を有する旨の演出を行う演出パターンが選択される確率が最も低く設定されている。
さらに、各抽選確率テーブル６３は、それぞれ、役抽選手段６１による役の抽選において特別役に当選しているか否かによって、特別役の当選可能性を有する旨の演出を行う演出パターンが選択される確率が異なるように設定されている。
【００４６】
例えば、役抽選手段６１による役の抽選において特別役に当選していない遊技では、特別役の当選可能性を有する旨の演出を行う演出パターンが選択される確率は、第１抽選確率テーブル６３ａでは１５％、第２抽選確率テーブル６３ｂでは１０％、第３抽選確率テーブル６３ｃでは５％、のように設定されている。
また、役抽選手段６１による役の抽選において特別役に当選している遊技では、特別役の当選可能性を有する旨の演出を行う演出パターンが選択される確率は、第１抽選確率テーブル６３ａでは６０％、第２抽選確率テーブル６３ｂでは３０％、第３抽選確率テーブル６３ｃでは１０％、のように設定されている。
【００４７】
（抽選確率テーブル選択手段）
抽選確率テーブル選択手段６４は、役当選演出抽選手段６２の抽選に用いる抽選確率テーブル６３として、第１抽選確率テーブル６３ａ、第２抽選確率テーブル６３ｂ又は第３抽選確率テーブル６３ｃのいずれかを選択するものである。
本実施形態では、役当選演出頻度設定手段４３の設定に基づいて、いずれかの抽選確率テーブル６３を選択する。
【００４８】
例えば、役当選演出頻度設定手段４３で最も演出頻度が多くなる「Ａ」に設定されているときは、３つの抽選確率テーブル６３中、特別役の当選可能性を有する旨の演出を行うことに決定される確率が最も高く設定された第１抽選確率テーブル６３ａが選択される。また、演出頻度が中程度となる「Ｂ」に設定されているときは、第２抽選確率テーブル６３ｂが選択される。さらに、最も演出頻度が少なくなる「Ｃ」に設定されているときは、３つの抽選確率テーブル６３中、特別役の当選可能性を有する旨の演出を行うことに決定される確率が最も低く設定された第３抽選確率テーブル６３ｃが選択される。
【００４９】
（リール停止制御手段）
リール停止制御手段６５は、遊技状態（通常遊技状態、特別遊技状態等）と、役抽選手段６１の抽選結果と、ストップスイッチ４２がオンされたときのタイミング等とから、後述する所定の停止位置決定テーブル６６を参照してリール３１の停止位置を決定するとともに、その決定された位置にリール３１を停止制御するものである。リール停止制御手段６５は、停止位置決定テーブル６６によりリール３１の停止位置が決定されると、モータ３２を駆動制御して、その決定した位置にリール３１が停止するように制御する。
【００５０】
ここで、役抽選手段６１で何らかの役が当選したときは、その当選役に対応するリール３１の図柄の組合せができる限り有効ラインに停止するように制御される。また、役抽選手段６１の抽選で非当選のときは、何らかの役の図柄の組合せが有効ラインに停止しないようにリール３１が停止制御される。
【００５１】
（停止位置決定テーブル）
停止位置決定テーブル６６は、本実施形態では、第１停止位置決定テーブル６６ａ、第２停止位置決定テーブル６６ｂ及び第３停止位置決定テーブル６６ｃの３種類を有する。これらの停止位置決定テーブル６６は、それぞれ、特別役の当選可能性を有することを意味する図柄の組合せを出現させる確率が異なっている。本実施形態では、第１停止位置決定テーブル６６ａは、３つの停止位置決定テーブル６６中、特別役の当選可能性を有することを意味する図柄の組合せの出現確率が最も高く設定されており、第３停止位置決定テーブル６６ｃが最も低く設定されている。
【００５２】
ここで、特別役の当選可能性を有することを意味する図柄の組合せとして、第１に、特別役の当選がある程度期待できるが、必ずしも特別役が当選しているとは限らないことを意味する図柄の組合せである「チャンス目」がある。
また、第２に、特別役が当選していることを意味する図柄の組合せ、すなわち特別役の当選確定を意味する「リーチ目」がある。
【００５３】
各停止位置決定テーブル６６は、それぞれ、役抽選手段６１による役の抽選において特別役に当選しているか否かに基づいて、リーチ目又はチャンス目を出現させるように定められている。
特別役に当選していない遊技では、各停止位置決定テーブル６６は、チャンス目を出現させる場合があるが、リーチ目を出現させる場合はない。
これに対し、特別役に当選している遊技では、各停止位置決定テーブル６６は、チャンス目の他、リーチ目を出現させる場合がある。
【００５４】
そして、特別役に当選していない遊技では、第１停止位置決定テーブル６６ａは、３つの停止位置決定テーブル６６中、チャンス目の出現確率が最も高くなるように定められている。また、第３停止位置決定テーブル６６ｃは、チャンス目の出現確率が最も低くなるように定められている。
同様に、特別役に当選している遊技では、第１停止位置決定テーブル６６ａは、３つの停止位置決定テーブル６６中、チャンス目又はリーチ目の出現確率が最も高くなるように定められている。また、第３停止位置決定テーブル６６ｃは、チャンス目又はリーチ目の出現確率が最も低くなるように定められている。
【００５５】
さらに、小役又はリプレイの当選時の遊技では、いずれの停止位置決定テーブル６６であっても、当選したこれらの役ができる限り入賞するように、すなわち当選した役の図柄の組合せができる限り有効ラインに停止するようにリール３１の停止制御が定められている。
【００５６】
（停止位置決定テーブル選択手段）
停止位置決定テーブル選択手段６７は、本発明における停止制御選択手段に相当するものであり、リール停止制御手段６５で用いる停止位置決定テーブル６６として、第１停止位置決定テーブル６６ａ、第２停止位置決定テーブル６６ｂ又は第３停止位置決定テーブル６６ｃのいずれかを選択するものである。
本実施形態では、役当選演出頻度設定手段４３の設定に基づいて、いずれかの停止位置決定テーブル６６を選択する。
【００５７】
例えば、役当選演出頻度設定手段４３で最も演出頻度が多くなる「Ａ」に設定されているときは、３つの停止位置決定テーブル６６中、特別役の当選可能性を有することを意味する図柄の組合せの出現確率が最も高くなるように定められた第１停止位置決定テーブル６６ａが選択される。また、演出頻度が中程度となる「Ｂ」に設定されているときは、第２停止位置決定テーブル６６ｂが選択される。さらに、最も演出頻度が少なくなる「Ｃ」に設定されているときは、３つの停止位置決定テーブル６６中、特別役の当選可能性を有することを意味する図柄の組合せの出現確率が最も低くなるように定められた第３停止位置決定テーブル６６ｃが選択される。
【００５８】
（演出出力制御手段）
演出出力制御手段６８は、上述の役当選演出抽選手段６２により選択された演出パターンに従って、演出の出力を制御するものである。この演出を出力する周辺機器としては、ランプ３３、スピーカ３４、及び画像表示装置３５が挙げられる。
【００５９】
各演出パターンには、特別役の当選可能性を有する旨の演出を行うときの演出内容が定められている。例えば、各演出パターンごとに演出内容を定めた演出パターンデータテーブルが設けられている。そして、役当選演出抽選手段６２により演出パターンが選択されると、演出パターンデータテーブルに従い、決定された演出パターンに定められた演出内容を出力する。各演出パターンには、例えば、ランプ３３の点灯パターン、スピーカ３４からのサウンド出力パターン、及び画像表示装置３５による出力画像パターン、並びにこれらの出力時間等が定められている。
【００６０】
なお、図示しないが、遊技制御手段６０には、上述した各手段の他、入賞判別手段や払出し手段等が設けられている。
入賞判別手段は、リール３１の停止時に、いずれかの有効ラインに停止した図柄の組合せが、予め定められたいずれかの役の図柄の組合せと一致するか否かを判別するものである。入賞判別手段は、例えばモータ３２の停止時の角度やステップ数等を検知することにより、有効ライン上の図柄を判別し、これに基づいて、役の入賞の有無を判別する。
【００６１】
また、払出し手段は、入賞判別手段により、リール３１の停止時に有効ラインに停止した図柄の組合せがいずれかの役の図柄の組合せと一致すると判別されたときに、成立役に応じて所定枚数のメダルを遊技者に対して払い出すか、又はクレジットの加算等の処理を行うものである。なお、リプレイの入賞時は、メダルを払い出すことなく、当該遊技で投入されたメダル枚数を自動投入するように制御する。
【００６２】
次に、フローチャートに基づき、本実施形態における処理の流れについて説明する。図２及び図３は、本実施形態における処理の流れを説明するフローチャートである。図３は、図２に続くフローチャートである。
なお、本フローチャートでは、特別役の当選可能性を有する旨の演出として、全てのリール３１の停止後に演出を行う場合を例に挙げて説明する。
【００６３】
先ず、図２のステップＳ１において、遊技制御手段６０は、遊技者によりスタートスイッチ４１がオンされたか否かを検知し続ける。スタートスイッチ４１のオンが検知されるとリール３１を始動させるとともに、ステップＳ２に進み、抽選確率テーブル選択手段６４及び停止位置決定テーブル選択手段６６は、役当選演出頻度設定手段４３の設定（演出頻度）を判別する。
【００６４】
次のステップＳ３では、抽選確率テーブル選択手段６４は、役当選演出頻度設定手段４３の設定に従い、抽選確率テーブル６３を選択する。すなわち、抽選確率テーブル選択手段６４は、役当選演出頻度設定手段４３の設定が「Ａ」であるときは第１抽選確率テーブル６３ａを、「Ｂ」であるときは第２抽選確率テーブル６３ｂを、「Ｃ」であるときは第３抽選確率テーブル６３ｃを、それぞれ選択する。
【００６５】
次のステップＳ４では、停止位置決定テーブル選択手段６７は、役当選演出頻度設定手段４３の設定に従い、停止位置決定テーブル６６を選択する。すなわち、停止位置決定テーブル選択手段６７は、役当選演出頻度設定手段４３の設定が「Ａ」であるときは第１停止位置決定テーブル６６ａを、「Ｂ」であるときは第２停止位置決定テーブル６６ｂを、「Ｃ」であるときは第３停止位置決定テーブル６６ｃを、それぞれ選択する。
次に、ステップＳ５に進み、役抽選手段６１は役の抽選を行う。次のステップＳ６では、役当選演出抽選手段６２は、ステップＳ３で選択した抽選確率テーブル６３を用いて、特別役の当選可能性を有する旨の演出を行うか否かの抽選を行う。すなわち、いずれかの演出パターンを抽選によって選択する。
【００６６】
次に、ステップＳ７に進み、遊技制御手段６０は、遊技者によりストップスイッチ４２がオンされたか否かを検知し続ける。ストップスイッチ４２のオンが検知されると、次のステップＳ８では、ステップＳ４で選択した停止位置決定テーブル６６を用いて、役の当選の有無や、遊技状態等とに基づき、リール３１の停止位置が決定される。次に、図３のステップＳ９に進み、全てのリール３１が停止したか否かが検知され、全てのリール３１が停止していないと判別されたときは図２のステップＳ７に戻る。一方、ステップＳ９で全てのリール３１が停止したと判別されたときは、ステップＳ１０に進む。
【００６７】
ステップＳ１０では、ステップＳ６で選択された演出パターンが、全てのリール３１の停止後に、特別役の当選可能性を有する旨の演出を行う演出パターンであるか否かが判別される。演出を行う演出パターンが選択されていると判別されたときは、ステップＳ１１に進んで、選択された演出パターンに従って、演出を出力した後、ステップＳ１２に進む。これに対し、ステップＳ１０で、演出を行わない演出パターンが選択されていると判別されたときは、ステップＳ１１の処理を行うことなくステップＳ１２に進む。
ステップＳ１２では、入賞判別手段は、有効ライン上に停止した図柄の組合せから、入賞の有無を判別し、入賞があるときは、その入賞した役に応じた払出し等の処理を行う。そして、本フローチャートによる処理を終了する。
【００６８】
以上、本発明の一実施形態について説明したが、本発明は、上述した実施形態に限定されることなく、例えば以下のような種々の変形が可能である。
（１）本実施形態では、役当選演出頻度設定手段４３による設定を３段階とし、これに対応する抽選確率テーブル６３及び停止位置決定テーブル６６をそれぞれ３種類設けた。しかし、これに限ることなく、役当選演出頻度設定手段４３による設定や、これに対応する抽選確率テーブル６３及び停止位置決定テーブル６６の種類を、それぞれ何段階、何種類設けても良い。
【００６９】
また、役当選演出頻度設定手段４３において、特別役に当選したときは、特別役の当選可能性を有する旨の演出を１００％の確率で行うようにする設定を設け、これに対応する抽選確率テーブル６３及び停止位置決定テーブル６６を設けても良い。この場合に選択される抽選確率テーブル６３は、特別役の当選時は必ず特別役の当選可能性を有する旨の演出を行う演出パターンを選択するようにし、また、停止位置決定テーブル６６は、特別役の当選時であって小役又はリプレイの非当選時は、できる限りリーチ目又はチャンス目を出現させる制御を定めたものとすれば良い。
【００７０】
これに対し、役当選演出頻度設定手段４３において、特別役に当選したときであっても特別役の当選可能性を有する旨の演出を行わない設定を設け、これに対応する抽選確率テーブル６３及び停止位置決定テーブル６６を設けても良い。この場合に選択される抽選確率テーブル６３は、特別役の当選時であっても、特別役の当選可能性を有する旨の演出を行う演出パターンを選択しないようにし、また、停止位置決定テーブル６６は、特別役の当選時であっても、リーチ目又はチャンス目を出現させない制御を定めたものとすれば良い。
【００７１】
（２）本実施形態では、役当選演出頻度設定手段４３による設定に対応して、特別役の当選可能性を有する旨の演出、及び特別役の当選可能性を有することを意味する図柄の組合せを出現させるようにしたが、これらの双方を行うのではなく、いずれか一方であっても良い。また、特別役の当選可能性を有する旨の演出頻度を設定する役当選演出頻度設定手段４３と、特別役の当選可能性を有することを意味する図柄の組合せの出現頻度を設定する役当選演出頻度設定手段４３とを、別個に設けても良い。
【００７２】
（３）さらにまた、特別役に当選していない遊技において、特別役の当選可能性を有する旨の演出頻度及び特別役の当選可能性を有することを意味する図柄の組合せの出現頻度を設定する役当選演出頻度設定手段４３と、特別役に当選している遊技において、特別役の当選可能性を有する旨の演出頻度及び特別役の当選可能性を有することを意味する図柄の組合せの出現頻度を設定する役当選演出頻度設定手段４３とを、別個に設けても良い。
【００７３】
（４）本実施形態では、役当選演出頻度設定手段４３を遊技者が操作できるようにしたが、例えば、役当選演出頻度設定手段４３をスロットマシン１０の内部に設け、スロットマシン１０を設置した遊技店側でのみ設定可能とし、遊技者は設定できないようにしても良い。
さらには、各スロットマシン１０ごとに役当選演出頻度設定手段４３を設けるのではなく、遊技店の制御管理室等に全てのスロットマシン１０の役当選演出頻度設定手段４３を一括して設けても良い。
【００７４】
（５）本実施形態では、停止位置決定テーブル６６を複数設け、いずれかの停止位置決定テーブル６６を選択し、この停止位置決定テーブル６６を用いてリール３１の停止位置を決定するようにした。しかし、これらの停止位置決定テーブル６６を使用せずにリール３１の停止位置を決定しても良い。例えば、ストップスイッチ４２が操作されたときに、停止可能位置を検索し、その停止可能位置の範囲内で、適切な停止位置を決定する停止制御を用いることも可能である。この場合において、特別役の当選可能性を有することを意味する図柄の組合せを出現させる確率が異なる複数の停止制御を設けておき、役当選演出頻度設定手段４３の設定に対応する停止制御を選択すれば良い。
【図面の簡単な説明】
【００７５】
【図１】本実施形態におけるスロットマシンの制御の概略を示すブロック図である。
【図２】本実施形態における処理の流れを説明するフローチャートである。
【図３】本実施形態における処理の流れを説明するフローチャートであって、図２に続くフローチャートである。
【符号の説明】
【００７６】
１０  スロットマシン
３１  リール
３２  モータ
３３  ランプ
３４  スピーカ
３５  画像表示装置
４１  スタートスイッチ
４２  ストップスイッチ
４３  役当選演出頻度設定手段
６０  遊技制御手段
６１  役抽選手段
６２  役当選演出抽選手段
６３  抽選確率テーブル
６３ａ  第１抽選確率テーブル
６３ｂ  第２抽選確率テーブル
６３ｃ  第３抽選確率テーブル
６４  抽選確率テーブル選択手段
６５  リール停止制御手段
６６  停止位置決定テーブル
６６ａ  第１停止位置決定テーブル
６６ｂ  第２停止位置決定テーブル
６６ｃ  第３停止位置決定テーブル
６７  停止位置決定テーブル選択手段
６８  演出出力制御手段
【図１】
2006175251.tif 000003
【図２】
2006175251.tif 000004
【図３】
2006175251.tif 000005